(57)【要約】【課題】  アナログ平衡出力が接地されたことを検出し、出力レベルを低下させて出力を保護し熱の発生を抑えると共に、接地されていない通常の平衡出力の位相差や平衡度等の特性を良好なものとする。【解決手段】  オーディオモニタ信号のアナログ平衡出力用のアンプ２３，２４の各出力側の抵抗２５，２６の端子電圧をＤ／Ａ変換器３１，３２でそれぞれ検出し、レベル差が所定の設定値、例えば６ｄＢを超えたか否かを判別器３３，３４でそれぞれ判別する。レベル差が所定の設定値を超えた側の判別器３４は、切換スイッチ１４を被選択端子ｂ側に切換接続し、減衰器１６により所定量（−２４ｄＢ）減衰したデジタルデータをＤ／Ａ変換器２２に送って、アンプ２４の入力レベルを減衰させる。【選択図】  図１
2008306593.tif 000002
【特許請求の範囲】
【請求項１】
アナログ平衡出力のためのデジタルの平衡出力データを出力するデジタルデータ出力手段と、
上記デジタルデータ出力手段からの平衡出力データをそれぞれＤ／Ａ変換するＤ／Ａ変換手段と、
上記Ｄ／Ａ変換手段からの平衡出力をそれぞれ増幅する一対の増幅器と、
上記一対の増幅器からのアナログ平衡出力のそれぞれの信号線に直列接続された一対の抵抗と、
これらの一対の抵抗の両端電圧をそれぞれＡ／Ｄ変換する一対のＡ／Ｄ変換手段と、
これらの一対のＡ／Ｄ変換手段からのデータに基づく各抵抗の両端のレベル差を所定の設定値とそれぞれ比較する一対の判別手段と、
これらの一対の判別手段からのそれぞれの判別出力に応じて上記デジタルデータ出力手段の平衡出力データのレベルを制御するレベル制御手段と
を有することを特徴とする平衡出力装置。
【請求項２】
上記レベル制御手段は、上記判別手段により上記レベル差が上記所定の設定値を超えたと判別された抵抗に接続された増幅器への入力レベルを所定値だけ減衰させるように上記平衡出力データのレベルを制御すること特徴とする請求項１記載の平衡出力装置。
【請求項３】
上記レベル制御手段は、上記判別手段により上記レベル差が上記所定の設定値以下であると判別された抵抗に接続された増幅器への入力レベルを所定値だけ増大させるように上記平衡出力データのレベルを制御すること特徴とする請求項２記載の平衡出力装置。
【請求項４】
上記レベル制御手段は、上記判別手段により上記レベル差が上記所定の設定値以下であると判別された抵抗に接続された増幅器への入力レベルを通常の平衡出力時のレベルに制御すること特徴とする請求項２記載の平衡出力装置。
【請求項５】
上記判別手段は、上記抵抗の両端の一定時間におけるレベルの最大値又は実効値に基づくレベル差を上記所定の設定値と比較すること特徴とする請求項４記載の平衡出力装置。
【請求項６】
アナログ平衡入力をそれぞれ一対の増幅器により増幅してアナログ平衡出力として取り出す平衡出力方法において、
上記一対の増幅器からのアナログ平衡出力のそれぞれの信号線に直列接続された一対の抵抗の両端のレベル差をそれぞれ検出する検出工程と、
上記一対のレベル検出工程により検出された各抵抗の両端のレベル差を所定の設定値とそれぞれ比較する判別工程と、
上記判別工程により判別されたそれぞれの判別出力に応じて上記一対の増幅器のそれぞれの入力レベルを制御するレベル制御工程と
を有することを特徴とする平衡出力方法。
【請求項７】
上記レベル制御工程では、上記判別工程により上記レベル差が上記所定の設定値を超えたと判別された抵抗に接続された増幅器の入力レベルを所定値だけ減衰させるように制御すること特徴とする請求項６記載の平衡出力方法。
【請求項８】
上記レベル制御工程では、上記判別工程により上記レベル差が上記所定の設定値以下であると判別された抵抗に接続された増幅器の入力レベルを所定値だけ増大させるように制御すること特徴とする請求項７記載の平衡出力方法。
【発明の詳細な説明】
【技術分野】
【０００１】
本発明は、アナログ平衡入力を一対の増幅器でそれぞれ増幅してアナログ平衡出力を取り出すような平衡出力装置及び方法に関する。
【背景技術】
【０００２】
デジタル信号をアナログ平衡出力に変換し増幅して取り出す増幅出力回路として、例えば、デジタルオーディオ信号をアナログ平衡出力に変換し、増幅して、スピーカモニタ出力として取り出すオーディオモニタ出力回路等が知られている。
【０００３】
このような増幅出力回路からのアナログ平衡出力に対して、使用するモニタ機器や使用形態によっては、出力の一端を接地して用いることがある。また、事故等によって、アナログ平衡出力の一端あるいは両端が接地されることがある。
【０００４】
図５は、このようなオーディオモニタ出力回路としての増幅出力回路の一例を示しており、アナログ平衡出力に対応する一方（＋側）及び他方（−側）のデジタルオーディオ信号が、端子１０１，１０２を介してアナログ出力回路１００のＤ／Ａ変換器１０３，１０４にそれぞれ供給されている。Ｄ／Ａ変換器１０３，１０４は、入力されたデジタルオーディオ信号を、アナログ平衡出力としての＋／−の２つのアナログ信号に変換して出力する。Ｄ／Ａ変換器１０３，１０４からのアナログ平衡出力は、それぞれアンプ１０５，１０６で増幅され、抵抗１０７，１０８を介して、出力端子１０９，１１０よりそれぞれ取り出される。
【０００５】
この図５において、抵抗１０７からの出力はアンプ１０６に、抵抗１０８からの出力はアンプ１０５にそれぞれフィードバックされるような、いわゆる「たすきがけ」の接続がされている。ここで、出力端子の一端（例えば出力端子１１０）が接地された場合、アナログ平衡出力の反対側をフィードバックして打ち消すことで出力レベルを下げている。すなわち、出力端子１１０が接地されてレベルが低下すると、これがアンプ１０５にフィードバックされてアンプ１０５の出力レベルが増大し、これがアンプ１０６にフィードバックされるため、アンプ１０６の出力レベルがさらに低下し、最終的にはアンプ１０６の出力レベルが０レベルに近付き、アンプ１０５の出力レベルが通常時（接地されていないとき）の略々２倍となる。これによって、出力端子が接地されたときの出力保護や出力レベルの保持を実現している。
【０００６】
従来技術として、特許文献１には、電力の大きいオーディオ等の出力信号をミューティングするミューティング回路が記載されている。
【０００７】
【特許文献１】特開平９−２３８０２９号公報
【発明の開示】
【発明が解決しようとする課題】
【０００８】
ところで、アナログ平衡出力を保護するために上述のようなアナログフィードバック構成を用いる場合には、次のような問題点がある。
【０００９】
すなわち、アナログでフィードバックする場合には、位相特性が良好でなく、抵抗１０７，１０８等の素子のばらつきにより出力レベルが安定せず、レベルや位相が素子の精度に左右され、平衡出力のバランスや位相差が悪化する、という欠点がある。
【００１０】
また、図５のようなアナログフィードバック構成においては、例えばアンプ１０５の出力側の抵抗１０７から、抵抗１０７→アンプ１０６→抵抗１０８→アンプ１０５のようなループが形成されるため、接地が生じていない通常の平衡出力時で、Ｄ／Ａ変換器１０３，１０４の出力レベルが均一な場合でも、増幅度や位相補償に用いる部品のばらつきにより、高い周波数になるほど平衡出力間に位相差が生じて平衡度が悪くなる。
【００１１】
ここで、近年において、通常のＣＤの音質を超える広帯域のオーディオ信号が知られてきており、このような広帯域のオーディオ信号をモニタするためのアナログ平衡出回路の場合には、良好な位相特性や安定した出力レベルが求められる。このため、上述したようなアナログフィードバック構成は、広帯域の平衡出力には向いていないことになる。
【００１２】
本発明は、このような従来の実情に鑑みて提案されたものであり、広帯域のオーディオ信号をモニタするための良好な位相特性や安定した出力レベルのアナログ平衡出力が得られると共に、アナログ平衡出力が接地されたときには出力レベルを低下させて出力を保護し熱の発生を抑えることが可能な平衡出力装置及び方法を提供することを目的とする。
【課題を解決するための手段】
【００１３】
上述の課題を解決するために、本発明は、アナログ平衡出力のためのデジタルの平衡出力データを出力するデジタルデータ出力手段と、上記デジタルデータ出力手段からの平衡出力データをそれぞれＤ／Ａ変換するＤ／Ａ変換手段と、上記Ｄ／Ａ変換手段からの平衡出力をそれぞれ増幅する一対の増幅器と、上記一対の増幅器からのアナログ平衡出力のそれぞれの信号線に直列接続された一対の抵抗と、これらの一対の抵抗の両端電圧をそれぞれＡ／Ｄ変換する一対のＡ／Ｄ変換手段と、これらの一対のＡ／Ｄ変換手段からのデータに基づく各抵抗の両端のレベル差を所定の設定値とそれぞれ比較する一対の判別手段と、これらの一対の判別手段からのそれぞれの判別出力に応じて上記デジタルデータ出力手段の平衡出力データのレベルを制御するレベル制御手段とを有することを特徴とする。
【００１４】
ここで、上記レベル制御手段は、上記判別手段により上記レベル差が上記所定の設定値を超えたと判別された抵抗に接続された増幅器への入力レベルを所定値だけ減衰させるように上記平衡出力データのレベルを制御することが好ましく、また、上記判別手段により上記レベル差が上記所定の設定値以下であると判別された抵抗に接続された増幅器への入力レベルを所定値だけ増大させるように上記平衡出力データのレベルを制御することが好ましい。
【００１５】
また、本発明は、上記目的を達成するため、アナログ平衡入力をそれぞれ一対の増幅器により増幅してアナログ平衡出力として取り出す平衡出力方法において、上記一対の増幅器からのアナログ平衡出力のそれぞれの信号線に直列接続された一対の抵抗の両端のレベル差をそれぞれ検出する検出工程と、上記一対のレベル検出工程により検出された各抵抗の両端のレベル差を所定の設定値とそれぞれ比較する判別工程と、上記判別工程により判別されたそれぞれの判別出力に応じて上記一対の増幅器のそれぞれの入力レベルを制御するレベル制御工程とを有することを特徴とする。
【発明の効果】
【００１６】
本発明によれば、一対の増幅器からのアナログ平衡出力のそれぞれの信号線に直列接続された一対の抵抗の両端のレベル差を所定の設定値とそれぞれ比較し、それぞれの比較結果に応じて上記一対の増幅器のそれぞれの入力レベルを制御することにより、アナログ平衡出力が接地されたとき、出力レベルを低下させて出力を保護し熱の発生を抑えると共に、接地されていない通常の平衡出力の位相差や平衡度等の特性を広帯域で良好なものとすることが可能となる。
【発明を実施するための最良の形態】
【００１７】
以下、本発明を適用した具体的な実施の形態について、図面を参照しながら詳細に説明する。
【００１８】
図１は、本発明の実施の形態に用いられるオーディオモニタ出力用のアナログ平衡出力装置を概略的に示すブロック図である。
【００１９】
この図１において、例えばいわゆるＦＰＧＡ（Field Programmable Gate Array）により構成されたデジタルオーディオデータ処理回路１には、スピーカモニタ出力として取り出すためのデジタルのオーディオモニタ出力データを生成するオーディオモニタ出力データ生成部１１が設けられている。このオーディオモニタ出力データ生成部１１からのオーディオモニタ出力データは、モニタデータ出力部１０に送られ、そのまま非反転側（＋側）出力データとして、また反転回路１２を介して反転側（−側）出力データとして用いられる。オーディオモニタ出力データ生成部１１からの非反転側（＋側）出力データは、切換スイッチ１３の被選択端子ａに、また減衰器１５を介して切換スイッチ１３の被選択端子ｂに、それぞれ送られる。減衰器１５は、入力されたオーディオデータを所定量（例えば−２４ｄＢ）減衰させるものである。反転回路１２からの反転側（−側）出力データは、切換スイッチ１４の被選択端子ａに、また減衰器１６を介して切換スイッチ１４の被選択端子ｂに、それぞれ送られる。
【００２０】
切換スイッチ１３からの非反転側（＋側）出力データは、アナログ出力回路２０のＤ／Ａ変換器２１に送られてアナログ信号に変換され、アンプ２３で増幅されて、アナログ平衡出力の非反転側（＋側）出力信号となり、さらに抵抗２５を介して、出力端子２７より取り出される。また、切換スイッチ１４からの反転側（−側）出力データは、アナログ出力回路２０のＤ／Ａ変換器２２に送られてアナログ信号に変換され、アンプ２４で増幅されて、アナログ平衡出力の反転側（−側）出力信号となり、さらに抵抗２６を介して、出力端子２８より取り出される。ここでアンプ２３，２４は、例えばラインアウト用のアンプあるいはラインアンプである。
【００２１】
Ａ／Ｄ変換器３１は、アナログ平衡出力の非反転側（＋側）のアンプ２３の出力信号線に挿入接続された抵抗２５の端子電圧を検出してデジタルデータに変換し、判別器３３に送っている。判別器３３は、抵抗２５の両端子のレベル差（ｑ−ｐ）を所定のレベル設定値（例えば６ｄＢ）と比較し、その判別結果に応じて切換スイッチ１３を切換接続するものであり、上記レベル差（ｑ−ｐ）が上記所定レベル設定値より大きい（例えばｑ−ｐ＞６ｄＢ）とき、アナログ平衡出力の対応する非反転側（＋側）の出力端子２７が接地されたと判断し、判別器３３からの判別出力がアクティブとなって切換スイッチ１３を被選択端子ｂ側に切換接続するものである。抵抗２５の両端子のレベル差（ｑ−ｐ）が所定レベル設定値（６ｄＢ）以下のときには、判別器３３からの判別出力はノンアクティブであり、切換スイッチ１３は被選択端子ａ側に接続された状態である。
【００２２】
また同様に、アナログ平衡出力の反転側（−側）のアンプ２４の出力信号線に挿入接続された抵抗２６の端子間圧をＡ／Ｄ変換器３２で検出してデジタルデータに変換して判別器３４に送っており、判別器３４は、抵抗２６の両端子のレベル差（ｑ−ｐ）が所定レベル設定値（６ｄＢ）より大きい（ｑ−ｐ＞６ｄＢ）とき、切換スイッチ１４を被選択端子ｂ側に、６ｄＢ以下のとき被選択端子ａ側にそれぞれ切換接続する。
【００２３】
出力端子２７，２８のいずれもが接地（あるいは短絡）されていない通常の平衡出力時の状態（通常状態）では、抵抗２５，２６の各両端子のレベル差（ｑ−ｐ）はいずれも６ｄＢ以下であり、切換スイッチ１３，１４は、いずれも被選択端子ａ側に接続されている。これに対して、図１の例に示すように、アナログ平衡出力の反転側（−側）の出力端子２８が接地された（短絡された）場合には、抵抗２５の両端子のレベル差が６ｄＢを超え、判別器３４は切換スイッチ１４を被選択端子ｂ側に切換接続する。このとき、反転回路１２から減衰器１６を介して例えば２４ｄＢ減衰された反転側（−側）出力データが、切換スイッチ１４の被選択端子ｂを介してアナログ出力回路２０のＤ／Ａ変換器２２に送られる。従って、アナログ出力回路２０の反転側（−側）のアンプ２４への入力が通常状態に比べて２４ｄＢ減衰されるため、アンプ２４に過電流を流さないようにして保護し熱の発生を抑えることができる。
【００２４】
ここで、アナログ平衡出力の接地された（短絡された）側の出力レベルを０にまで落とさないで、減衰器１６により所定量（例えば−２４ｄＢ）減衰させているのは、アンプ２４の入力を減衰させた後に、出力端子２８の接地（短絡）状態が解除された場合に、Ａ／Ｄ変換器３２で抵抗２６の端子電圧を検出し、検出されたレベル差（ｑ−ｐ）が６ｄＢ以下になったことを検出することにより、切換スイッチ１４を被選択端子ａ側に切換接続して復帰させるためである。減衰器１５についても同様である。このように、接地された側のゲインを低下させる場合に、元の通常状態のレベルに戻すことができるように、完全に消音（ミュート）するのではなく、アナログ平衡出力の接地された側のアンプに負荷がかからず、レベル判別が可能な程度に減衰させることが好ましい。この場合、検出されたレベル差（ｑ−ｐ）が所定値（例えば６ｄＢ）を閾値として上下に変動することにより頻繁に切換動作が生じないように、判別器３３，３４における判別の際のレベル差（ｑ−ｐ）として、一定時間におけるレベルの最大値や実効値等を用いることが好ましい。
【００２５】
図２は、接地（短絡）が生じていない通常の平衡出力時（通常状態）におけるアナログ平衡出力間の位相差を、本発明の図１に示す実施の形態の場合（曲線Ａ，Ａ’）と、従来の図５に示す場合（曲線Ｂ，Ｂ’）とについて示すものである。従来の図５に示すオーディオモニタ出力回路のようなアナログフィードバック構成を用いる場合には、例えばアンプ１０５の出力側の抵抗１０７→アンプ１０６→抵抗１０８→アンプ１０５のようなループが形成されるため、接地が生じていない通常状態において、Ｄ／Ａ変換器１０３，１０４の出力レベルが均一な場合でも、増幅度や位相補償に用いる部品のばらつきにより、図２の曲線Ｂ，Ｂ’に示すように、高い周波数になるほど平衡出力間に位相差が生じて、平衡度が悪くなっている。これに対して、図１に示すような本発明の実施の形態では、上述のようなループが存在しないため、平衡度はそれぞれの出力回路の位相精度のみに依存し、図２の曲線Ａ，Ａ’に示すように、高い周波数でも位相差は少なく、良好な平衡度が保たれている。従って、本発明の実施の形態によれば、例えば通常のＣＤの音質を超えるような広帯域、高品質のオーディオ信号をモニタする場合のアナログ平衡出力を得る用途等に好適である。
【００２６】
ところで、上記実施の形態においては、Ａ／Ｄ変換器３１，３２で各抵抗２５，２６の両端の端子電圧をデジタルデータに変換し、判別器３３，３４で電圧に応じたレベルの差（ｑ−ｐ）を求めて所定の設定値（６ｄＢ）と比較するようにしているが、Ａ／Ｄ変換器３１，３２においてレベル差（ｑ−ｐ）を求めてそのデジタルデータを判別器３３，３４に送るようにしてもよい。さらに、上述したように、一定時間におけるレベルの最大値や実効値等を用いたレベル差をＡ／Ｄ変換器３１，３２で求めてそのデジタルデータを判別器３３，３４に送るようにしてもよい。また、判別器３３，３４におけるレベル比較の際の所定の設定値は６ｄＢに限定されず、減衰器１５，１６における減衰量も−２４ｄＢに限定されないことは勿論である。
【００２７】
次に、図３は、本発明の他の実施の形態として、接地（短絡）が生じた場合のアナログ平衡出力レベルを維持する場合を示している。すなわち、上記図１の実施の形態においては、接地が生じた一方の側の出力レベルを減衰させ、他方の側の出力レベルをそのまま変化させていないが、図３の例では、接地が生じてない側の出力レベルを増大させる（例えば２倍にする）ようにして、通常の平衡出力時の出力レベルとの差を低減している。
【００２８】
図３において、上記図１の各部と対応する部分には同じ指示符号を付しており、これらの図１と同様の構成部分に対して、レベル増幅器３５，３６、切換スイッチ３７，３８、及び選択制御器３９，４０が追加されている。すなわち、オーディオモニタ出力データ生成部１１からのオーディオモニタ出力データは、減衰器１５のみならず、レベル増幅器３５及び切換スイッチ３７の被選択端子ａに送られ、切換スイッチ３７からの出力が切換スイッチ１３の被選択端子ａに送られている。レベル増幅器３５からの出力は、切換スイッチ３７の被選択端子ｂに送られ、切換スイッチ３７は選択制御器３９により切換制御される。選択制御器３９には、判別器３３からの判別出力が否定（Ｎ）入力端子に、判別器３４からの判別出力が肯定（Ｙ）入力端子にそれぞれ供給されると共に、端子４１からのレベル増幅イネーブル（＋6dB Enable）信号が供給されている。また同様に、反転回路１２からのデータは、減衰器１６、レベル増幅器３６及び切換スイッチ３８の被選択端子ａに送られ、切換スイッチ３８からの出力が切換スイッチ１４の被選択端子ａに送られている。レベル増幅器３６からの出力は、切換スイッチ３８の被選択端子ｂに送られ、切換スイッチ３８は選択制御器４０により切換制御される。選択制御器４０には、判別器３４からの判別出力が否定（Ｎ）入力端子に、判別器３３からの判別出力が肯定（Ｙ）入力端子にそれぞれ供給され、端子４２からのレベル増幅イネーブル（＋6dB Enable）信号が供給されている。
【００２９】
図３の例では、図１と同様に、アナログ平衡出力の反転側（−側）出力側の出力端子２８のみが接地された（短絡された）場合を示しており、このとき抵抗２６の端子電圧をＡ／Ｄ変換器３２で検出して得られるレベル差（ｑ−ｐ）が６ｄＢを超え、判別器３４の判別出力がアクティブとなる。この判別器３４の判別出力（アクティブ）は、切換スイッチ１４に送られて切換スイッチ１４が被選択端子ｂ側に切換接続されると共に、判別器３９の肯定（Ｙ）入力端子、及び判別器４０の否定（Ｎ）入力端子にそれぞれ送られる。判別器３３の判別出力はノンアクティブであり、切換スイッチ１３は被選択端子ａに接続されたままである。選択制御器３９は、判別器３３から否定（Ｎ）入力端子に入力される判別出力がノンアクティブ、判別器３４から肯定（Ｙ）入力端子に入力される判別出力がアクティブであり、かつ端子４１からのレベル増幅イネーブル（＋6dB Enable）信号が有効状態のとき、切換スイッチ３７を被選択端子ｂ側に切換接続するものであり、これ以外の条件のときには切換スイッチ３７は被選択端子ａ側に接続されている。選択制御器４０についても同様に、否定（Ｎ）入力端子に入力される判別出力がノンアクティブ、肯定（Ｙ）入力端子に入力される判別出力がアクティブであり、かつ端子４２からのレベル増幅イネーブル（＋6dB Enable）信号が有効状態のとき、切換スイッチ３８を被選択端子ｂ側に切換接続し、これ以外の条件では切換スイッチ３８は被選択端子ａ側に接続される。
【００３０】
ここで図３の例では、端子４１，４２からのレベル増幅イネーブル（＋6dB Enable）信号が有効状態のときを想定しており、選択制御器３９は切換スイッチ３７を被選択端子ｂ側に切換接続する。従って、レベル増幅器３５からの出力が、切換スイッチ３７の被選択端子ｂを介し、切換スイッチ１３の被選択端子ａを介して、アナログ出力回路２０のＤ／Ａ変換器２１に送られてアナログ信号に変換され、アンプ２３に入力される。レベル増幅器３５の増幅度（ゲイン）を＋６ｄＢとすると、アンプ２３に入力される入力レベルが通常状態（接地されていない通常の平衡出力時）の２倍となり、出力端子２７より取り出されるアナログ平衡出力の非反転側（＋側）出力信号のレベルが２倍となる。従って、接地された側の出力レベルが略々０となっても、接地されていない側の出力レベルが２倍となるため、アナログ平衡出力の両端間の出力レベルについては、上記図５に示した従来構成と同様に、接地が生じた場合でも通常状態時と同じ出力レベルを得ることができる。
【００３１】
次に、図４は、本発明の上記図１に示す実施の形態を、ステレオ左右チャンネルのモニタ出力回路に適用した具体例を示す。
【００３２】
この図４において、デジタルオーディオデータ処理回路１には、ステレオ左右チャンネルのスピーカモニタ出力として取り出すためのデジタルのオーディオモニタ出力データを生成する左（Ｌ）チャンネル用のオーディオモニタ出力データ生成部１１Ｌと、右（Ｒ）チャンネル用のオーディオモニタ出力データ生成部１１Ｒとが設けられている。これらのオーディオモニタ出力データ生成部１１Ｌ，１１Ｒからの各データは、それぞれステレオ左右チャンネル用のモニタデータ出力部１０Ｌ，１０Ｒに送られ、これらのモニタデータ出力部１０Ｌ，１０Ｒからの各出力データが、ステレオ左右チャンネル用のアナログ出力回路２０Ｌ，２０Ｒにそれぞれ送られている。
【００３３】
ステレオの左（Ｌ）チャンネル用のモニタデータ出力部１０Ｌは、左（Ｌ）チャンネル用のオーディオモニタ出力データ生成部１１Ｌからのデータが入力されるゲイン制御部４５を有し、このゲイン制御部４５からの出力が、上記図１と同様な構成の反転回路１２、切換スイッチ１３，１４、減衰器１５，１６から成る回路部に送られる。切換スイッチ１３，１４は、それぞれ判別器３３，３４により切換制御される。これらの反転回路１２、切換スイッチ１３，１４、減衰器１５，１６、及び判別器３３，３４については、上記図１の各部と同様であるため説明を省略する。ただし、図４の構成では、切換スイッチ１３，１４からの一対のデジタル平衡出力データを、マルチプレクサ４６で多重化して、シリアルデータとしてステレオの左（Ｌ）チャンネル用のアナログ出力回路２０Ｌに送っている。また、判別器３３，３４からの判別出力は、ゲイン制御部４５に送られると共に、ステータス（Status）信号として取り出されている。なお、ゲイン制御部４５は、判別器３３，３４からの判別出力に応じて、オーディオモニタ出力データ生成部１１Ｌからのデータのゲインを制御する。
【００３４】
ステレオの左（Ｌ）チャンネル用のアナログ出力回路２０Ｌは、モニタデータ出力部１０Ｌのマルチプレクサ４６からのシリアルのデジタル平衡出力データが供給されるＤ／Ａ変換器２９を有し、このＤ／Ａ変換器２９からアナログ平衡出力の非反転側（＋側）及び反転側（−側）の各出力が（例えばそれぞれ差動出力として）バッファアンプ５１，５２に送られている。バッファアンプ５１，５２からの各出力は、上記図１に示したようなラインアウト用のアンプ２３，２４にそれぞれ送られると共に、差動アンプ５３の差動入力として供給されている。ラインアウト用のアンプ２３，２４以降の抵抗２５，２６、Ａ／Ｄ変換器３１，３２は、上記図１の各部と同様であるため、説明を省略する。左（Ｌ）チャンネル用のアナログ平衡出力は、出力端子２７Ｌ，２８Ｌより取り出される。出力端子２７Ｌと２８Ｌとの間には、ミューティング用のリレー５４が接続されている。
【００３５】
左（Ｌ）チャンネル用のアナログ出力回路２０Ｌの上記差動アンプ５３からの出力は、ヘッドホンモニタ出力回路６０の左（Ｌ）チャンネル用のバッファ６１Ｌを介し、可変抵抗器（いわゆるボリューム）６２に送られてヘッドホンの音量調整がなされ、左（Ｌ）チャンネル用のバッファ６３Ｌを介し、ヘッドホンドライブ用のアンプ６４Ｌを介して、左（Ｌ）チャンネル用のヘッドホン出力端子６５Ｌより取り出される。
【００３６】
ステレオの右（Ｒ）チャンネル用のモニタデータ出力部１０Ｒ及びアナログ出力回路２０Ｒは、上述したステレオの左（Ｌ）チャンネル用のモニタデータ出力部１０Ｌ及びアナログ出力回路２０Ｌと同様の構成を有しているため説明を省略する。ステレオの右（Ｒ）チャンネル用のアナログ平衡出力は、右（Ｒ）チャンネル用のアナログ出力回路２０Ｒの出力端子２７Ｒ，２８Ｒより取り出される。また、右（Ｒ）チャンネル用のアナログ出力回路２０Ｒの差動アンプからの出力は、ヘッドホンモニタ出力回路６０の右（Ｒ）チャンネル用のバッファ６１Ｒを介し、可変抵抗器（いわゆるボリューム）６２に送られて音量調整され、右（Ｒ）チャンネル用のバッファ６３Ｒを介し、ヘッドホンドライブ用のアンプ６４Ｒを介して、右（Ｒ）チャンネル用のヘッドホン出力端子６５Ｒより取り出される。
【００３７】
上述したような本発明の実施の形態によれば、アナログ平衡出力が接地されたことを検出し、出力レベルを低下させて出力を保護し熱の発生を抑えると共に、接地されていない通常の平衡出力の位相差や平衡度等の特性を良好なものとすることができる。
【００３８】
なお、本発明は上述した実施の形態のみに限定されるものではなく、本発明の要旨を逸脱しない範囲において種々の変更が可能であることは勿論である。
【００３９】
例えば、Ａ／Ｄ変換器２１，２２において抵抗２５，２６の各レベル差を求めたり、一定時間におけるレベルの最大値や実効値等を用いたレベル差求めて、そのデジタルデータを判別器３３，３４に送るようにしてもよい。また、判別器３３，３４におけるレベル比較の際の所定の設定値は６ｄＢに限定されず、減衰器１５，１６における減衰量も−２４ｄＢに限定されない。
【図面の簡単な説明】
【００４０】
【図１】本発明の実施の形態となるオーディオモニタ出力用のアナログ平衡出力装置の構成例を示すブロック図である。
【図２】接地が生じていない通常の平衡出力時におけるアナログ平衡出力間の位相差を、本発明の実施の形態と従来例とについて示すグラフである。
【図３】本発明の他の実施の形態のアナログ平衡出力装置の構成例を示すブロック図である。
【図４】本発明の図１の実施の形態のアナログ平衡出力装置をステレオ左右チャンネルのモニタ出力回路に適用した具体例を示すブロック図である。
【図５】従来のオーディオモニタ出力回路としてのアナログ平衡増幅出力回路の一例を示すブロック図である。
【符号の説明】
【００４１】
１０，１０Ａ，１０Ｌ，１０Ｒ  モニタデータ出力部、  １１，１１Ｌ，１１Ｒ  オーディオモニタ出力データ生成部、  １２  反転回路、  １３，１４，３７，３８  切換スイッチ、  １５，１６  減衰器、  ２１，２２，２９  Ｄ／Ａ変換器、  ２３，２４  アンプ、  ２５，２６  抵抗、  ２７，２８，２７Ｌ，２８Ｌ，２７Ｒ，２８Ｒ  出力端子、  ３１，３２  Ａ／Ｄ変換器、  ３３，３４  判別器、  ３５，３６  レベル増幅器、  ３９，４０  選択制御器
【図１】
2008306593.tif 000003
【図２】
2008306593.tif 000004
【図３】
2008306593.tif 000005
【図４】
2008306593.tif 000006
【図５】
2008306593.tif 000007